【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
格納手段を有し、コンテンツを再生する再生装置であって、
再生すべきコンテンツを指定する指定手段と、
前記指定手段による指定に応じて再生すべき第１のコンテンツであって、前記格納手段に格納された前記第１のコンテンツの後に再生すべき第２のコンテンツの取得先情報を取得する第１の取得手段と、
前記第１の取得手段により取得された取得先情報に対応する取得先から前記第２のコンテンツを前記第１のコンテンツの再生処理中に取得する第２の取得手段と、
前記格納手段から取得された前記第１のコンテンツと、前記取得先から取得された前記第２のコンテンツとを、前記指定に応じて再生する再生手段と、
を有することを特徴とする再生装置。
【請求項２】
前記取得先情報に対応する複数の取得先との通信状況に基づいて、前記第２のコンテンツの取得先を決定する決定手段を更に有することを特徴とする請求項１に記載の再生装置。
【請求項３】
前記決定手段は、前記第２のコンテンツの後に再生される第３のコンテンツの複数の取得先との通信状況に応じて、前記第２のコンテンツの取得先としてのサーバ装置とは異なるサーバ装置を前記第３のコンテンツの取得先として決定することを特徴とする請求項２に記載の再生装置。
【請求項４】
前記第１のコンテンツに基づいて判定される前記第２のコンテンツのビットレートと、前記第２のコンテンツの取得先との通信状況に基づいて、前記第２のコンテンツの取得開始時刻を判定する判定手段を更に有することを特徴とする請求項１に記載の再生装置。
【請求項５】
前記第１のコンテンツに対応する第１ヘッダ情報に基づいて、前記第２のコンテンツの取得先となる第１のサーバ装置を決定する決定手段を更に有し、
前記第２の取得手段は、前記第１のサーバ装置から、前記第２のコンテンツ及び、前記第２のコンテンツに対応する第２ヘッダ情報を取得し、
前記決定手段は、前記第２ヘッダ情報に基づいて、前記第２のコンテンツの後に再生される第３のコンテンツの取得先となる第２のサーバ装置を決定することを特徴とする請求項１に記載の再生装置。
【請求項６】
前記格納手段は、第１の再生時間分の前記第１のコンテンツの再生処理中に取得された前記第２のコンテンツを格納し、
前記再生手段は、前記第１の再生時間分の前記第１のコンテンツを再生した後に、前記第２のコンテンツの再生を開始することを特徴とする請求項１に記載の再生装置。
【請求項７】
格納手段を有し、コンテンツを再生する再生装置が行う再生方法であって、
前記再生装置の指定手段が、再生すべきコンテンツを指定する指定工程と、
前記再生装置の第１の取得手段が、前記指定工程による指定に応じて再生すべき第１のコンテンツであって、前記格納手段に格納された前記第１のコンテンツの後に再生すべき第２のコンテンツの取得先情報を取得する第１の取得工程と、
前記再生装置の第２の取得手段が、前記第１の取得工程により取得された取得先情報に対応する取得先から前記第２のコンテンツを前記第１のコンテンツの再生処理中に取得する第２の取得工程と、
前記再生装置の再生手段が、前記格納手段から取得された前記第１のコンテンツと、前記取得先から取得された前記第２のコンテンツとを、前記指定に応じて再生する再生工程と、
を有することを特徴とする再生方法。
【請求項８】
前記再生装置の決定手段が、前記取得先情報に対応する複数の取得先との通信状況に基づいて、前記第２のコンテンツの取得先を決定する決定工程を更に有することを特徴とする請求項７に記載の再生方法。
【請求項９】
前記決定工程は、前記第２のコンテンツの後に再生される第３のコンテンツの複数の取得先との通信状況に応じて、前記第２のコンテンツの取得先としてのサーバ装置とは異なるサーバ装置を前記第３のコンテンツの取得先として決定することを特徴とする請求項８に記載の再生方法。
【請求項１０】
前記再生装置の判定手段が、前記第１のコンテンツに基づいて判定される前記第２のコンテンツのビットレートと、前記第２のコンテンツの取得先との通信状況に基づいて、前記第２のコンテンツの取得開始時刻を判定する判定工程を更に有することを特徴とする請求項７に記載の再生方法。
【請求項１１】
前記再生装置の決定手段が、前記第１のコンテンツに対応する第１ヘッダ情報に基づいて、前記第２のコンテンツの取得先となる第１のサーバ装置を決定する決定工程を更に有し、
前記第２の取得工程は、前記第１のサーバ装置から、前記第２のコンテンツ及び、前記第２のコンテンツに対応する第２ヘッダ情報を取得し、
前記決定工程は、前記第２ヘッダ情報に基づいて、前記第２のコンテンツの後に再生される第３のコンテンツの取得先となる第２のサーバ装置を決定する
ことを特徴とする請求項７に記載の再生方法。
【請求項１２】
前記格納手段は、第１の再生時間に対応する前記第１のコンテンツの再生処理中に取得された前記第２のコンテンツを格納し、
前記再生工程は、前記第１の再生時間分の前記第１のコンテンツを再生した後に、前記第２のコンテンツの再生を開始することを特徴とする請求項７に記載の再生方法。
【請求項１３】
格納手段を有し、コンテンツを再生するコンピュータに、
再生すべきコンテンツの指定をするための指定手順と、
前記指定手順による指定に応じて再生すべき第１のコンテンツであって、前記格納手段に格納された前記第１のコンテンツの後に再生すべき第２のコンテンツの取得先情報を当取得する第１の取得手順と、
前記第１の取得手順により取得された取得先情報に対応する取得先から前記第２のコンテンツを前記第１のコンテンツの再生処理中に取得する第２の取得手順と、
前記格納手段から取得された前記第１のコンテンツと、前記取得先から取得された前記第２のコンテンツとを、前記指定に応じて再生する再生手順と、
を実行させることを特徴とするプログラム。
【請求項１４】
前記取得先情報に対応する複数の取得先との通信状況に基づいて、前記第２のコンテンツの取得先を決定する決定手順を更に実行させることを特徴とする請求項１３に記載のプログラム。
【請求項１５】
前記決定手順は、前記第２のコンテンツの後に再生される第３のコンテンツの複数の取得先との通信状況に応じて、前記第２のコンテンツの取得先としてのサーバ装置とは異なるサーバ装置を前記第３のコンテンツの取得先として決定することを特徴とする請求項１４に記載のプログラム。
【請求項１６】
前記第１のコンテンツに基づいて判定される前記第２のコンテンツのビットレートと、前記第２のコンテンツの取得先との通信状況に基づいて、前記第２のコンテンツの取得開始時刻を判定する判定手順を更に実行させることを特徴とする請求項１３に記載のプログラム。
【請求項１７】
前記第１のコンテンツに対応する第１ヘッダ情報に基づいて、前記第２のコンテンツの取得先となる第１のサーバ装置を決定する決定手順を更に実行させ、
前記第２の取得手順は、前記第１のサーバ装置から、前記第２のコンテンツ及び、前記第２のコンテンツに対応する第２ヘッダ情報を取得し、
前記決定手順は、前記第２ヘッダ情報に基づいて、前記第２のコンテンツの後に再生される第３のコンテンツの取得先となる第２のサーバ装置を決定することを特徴とする請求項１３に記載のプログラム。
【請求項１８】
前記格納手段は、第１の再生時間分の前記第１のコンテンツの再生処理中に取得された前記第２のコンテンツを格納し、
前記再生手順は、前記第１の再生時間分の前記第１のコンテンツを再生した後に、前記第２のコンテンツの再生を開始することを特徴とする請求項１３に記載のプログラム。
【手続補正２】
【補正対象書類名】明細書
【補正対象項目名】００１０
【補正方法】変更
【補正の内容】
【００１０】
上記目的を達成するべく、本発明に係る再生装置は、格納手段を有し、コンテンツを再生する再生装置であって、
再生すべきコンテンツを指定する指定手段と、
前記指定手段による指定に応じて再生すべき第１のコンテンツであって、前記格納手段に格納された前記第１のコンテンツの後に再生すべき第２のコンテンツの取得先情報を取得する第１の取得手段と、
前記第１の取得手段により取得された取得先情報に対応する取得先から前記第２のコンテンツを前記第１のコンテンツの再生処理中に取得する第２の取得手段と、
前記格納手段から取得された前記第１のコンテンツと、前記取得先から取得された前記第２のコンテンツとを、前記指定に応じて再生する再生手段と、
を有することを特徴とする。
【手続補正３】
【補正対象書類名】明細書
【補正対象項目名】００１１
【補正方法】変更
【補正の内容】
【００１１】
あるいは、本発明に係る再生方法は、格納手段を有し、コンテンツを再生する再生装置が行う再生方法であって、
前記再生装置の指定手段が、再生すべきコンテンツを指定する指定工程と、
前記再生装置の第１の取得手段が、前記指定工程による指定に応じて再生すべき第１のコンテンツであって、前記格納手段に格納された前記第１のコンテンツの後に再生すべき第２のコンテンツの取得先情報を取得する第１の取得工程と、
前記再生装置の第２の取得手段が、前記第１の取得工程により取得された取得先情報に対応する取得先から前記第２のコンテンツを前記第１のコンテンツの再生処理中に取得する第２の取得工程と、
前記再生装置の再生手段が、前記格納手段から取得された前記第１のコンテンツと、前記取得先から取得された前記第２のコンテンツとを、前記指定に応じて再生する再生工程と、
を有することを特徴とする。